(57)【要約】  コアネットワーク（３０）に配置される制御エンティティ（３１）は、無線端末（１１）のモビリティ特性を示すアシスタンス情報を基地局（２１）から受信し、当該アシスタンス情報を用いて当該無線端末（１１）のページングに関する制御を行うよう構成されている。これにより、例えば、無線アクセスネットワーク内に配置される基地局とコアネットワーク内に配置されるページング制御エンティティの間のページング最適化のための協力又はインタラクションに寄与できる。
2016163112.tif 000002
【特許請求の範囲】
【請求項１】
コアネットワークに配置される制御エンティティであって、
メモリと、
前記メモリに結合された少なくとも１つのプロセッサと、
を備え、
前記少なくとも１つのプロセッサは、無線端末のモビリティ特性を示すアシスタンス情報を基地局から受信し、前記アシスタンス情報を用いて前記無線端末のページングに関する制御を行うよう構成されている、
制御エンティティ。
【請求項２】
前記モビリティ特性は、モビリティの有無、モビリティの大きさ、移動範囲に対する制約、移動のランダム性、移動頻度、ハンドオーバ頻度、移動速度、及び滞在セル履歴、のうち少なくとも１つを含む、
請求項１に記載の制御エンティティ。
【請求項３】
前記少なくとも１つのプロセッサは、前記基地局による前記アシスタンス情報の取得が停止されることに応じて、前記アシスタンス情報を受信するよう構成されている、
請求項１又は２に記載の制御エンティティ。
【請求項４】
前記少なくとも１つのプロセッサは、前記無線端末がCONNECTED状態からIDLE状態に遷移することに応じて、前記アシスタンス情報を受信するよう構成されている、
請求項１又は２に記載の制御エンティティ。
【請求項５】
前記ページングに関する制御は、（ａ）前記無線端末のページングエリアを決定すること、（ｂ）前記無線端末のページングのためのセル又は基地局のリストを決定すること、及び（ｃ）前記ページングエリア又は前記リストの決定に使用されるアルゴリズムを選択すること、のうち少なくとも１つを含む、
請求項１〜４のいずれか１項に記載の制御エンティティ。
【請求項６】
前記アシスタンス情報は、（ａ）１又は複数の基地局により取得された前記無線端末に関する計測情報、（ｂ）前記１又は複数の基地局において取得された前記無線端末に関する履歴情報、（ｃ）前記１又は複数の基地局において決定された前記無線端末に関する設定情報、（ｄ）推奨されるセルのリスト、及び（ｅ）推奨される基地局のリスト、のうち少なくとも１つを含む、
請求項１〜５のいずれか１項に記載の制御エンティティ。
【請求項７】
前記アシスタンス情報は、前記無線端末がCONNECTED状態であるときに前記１又は複数の基地局によって取得される、
請求項６に記載の制御エンティティ。
【請求項８】
無線アクセスネットワークに配置される基地局装置であって、
メモリと、
前記メモリに結合された少なくとも１つのプロセッサと、
を備え、
前記少なくとも１つのプロセッサは、無線端末のモビリティ特性を示すアシスタンス情報をコアネットワークに送信するよう構成され、
前記アシスタンス情報は、前記無線端末のページングに関する制御のために前記コアネットワークにおいて使用される、
基地局装置。
【請求項９】
コアネットワークに配置される制御エンティティにより行われる方法であって、
無線端末のモビリティ特性を示すアシスタンス情報を基地局から受信すること、及び
前記アシスタンス情報を用いて前記無線端末のページングに関する制御を行うこと、
を備える方法。
【請求項１０】
無線アクセスネットワークに配置される基地局装置により行われる方法であって、
無線端末のモビリティ特性を示すアシスタンス情報をコアネットワークに送信することを備え、
前記アシスタンス情報は、前記無線端末のページングに関する制御のために前記コアネットワークにおいて使用される、
方法。
【発明の詳細な説明】
【技術分野】
【０００１】
本開示は、移動通信システムにおける無線端末のページングに関し、特に、ページング最適化に関する。
【背景技術】
【０００２】
多元接続方式の移動通信システムは、時間、周波数、及び送信電力のうち少なくとも１つを含む無線リソースを複数の無線端末の間で共有することで、複数の無線端末が実質的に同時に無線通信を行うことを可能としている。代表的な多元接続方式は、Time Division Multiple Access（TDMA）、Frequency Division Multiple Access（FDMA）、Code Division Multiple Access（CDMA）、若しくはOrthogonal Frequency Division Multiple Access（OFDMA）又はこれらの組み合わせである。【０００３】
本明細書で用いる移動通信システムの用語は、特に断らない限り多元接続方式の移動通信システムを意味する。移動通信システムは、無線端末及びネットワークを含む。ネットワークは、無線アクセスネットワーク（Radio Access Network（RAN））およびコアネットワーク（Core Network（CN））を含む。無線端末は、移動局又は移動端末とも呼ばれる。無線端末は、RAN及びCNを介して外部ネットワーク（e.g., インターネット、パケットデータネットワーク、又はプライベート企業網）と通信する。移動通信システムは、例えば、3rd Generation Partnership Project (3GPP) Universal Mobile Telecommunications System（UMTS）、3GPP Evolved Packet System（EPS）、3GPP2 CDMA2000システム、Global System for Mobile communications（GSM（登録商標））/ General packet radio service（GPRS）システム、WiMAXシステム、又はモバイルWiMAXシステムである。EPSは、Long Term Evolution（LTE）システム及びLTE-Advancedシステムを含む。【０００４】
コアネットワークは、待ち受け状態の無線端末に対する新たなダウンリンク・トラフィック（ダウンリンクデータ又は音声着信）が到着した場合に、無線端末に対してページング信号を送信する。待ち受け状態の無線端末は、ページング信号を受信するために間欠受信（Discontinuous Reception（DRX））を行っている。そして、無線端末は、自局宛てのページング信号を受信したことに応じて、ダウンリンク・トラフィックを受信する通信のためのシグナリングを開始する。このシグナリングは、ページングに対する応答メッセージを含む。当該応答メッセージは、制御コネクションの確立要求、若しくはユーザーデータ転送用の通信路（ベアラ）の確立のためのサービス要求、又はこれら両方を含む。応答メッセージを受信したネットワークは、ダウンリンク・トラフィックを無線端末に送信するために必要な制御コネクション及び通信路（ベアラ）を設定するための手順を実行する。【０００５】
なお、コアネットワークは、無線端末のページングを実施するに際して、ページング信号が送出されるエリアを決定する必要がある。本明細書では、“ページング信号が送出されるエリア”を“ページングエリア”と呼ぶ。ページングエリアは、少なくとも１つのセルを含み、一般的には複数のセル（又はセクタ）を含む。典型的には、ページングエリアは、無線端末が属する最新の位置登録エリアに一致する。位置登録エリアとは、待ち受け状態にある無線端末のネットワークにおける管理単位である。無線端末は、位置登録エリアを跨って移動した場合に、位置更新要求を上位ネットワークに送信する。また、無線端末は、位置登録エリアの変化に関わらず周期的に位置更新要求を送信してもよい。【０００６】
たとえば、3GPP UMTSのパケット交換ドメインでは、位置登録エリアはルーティングエリア（Routing Area（RA））と呼ばれる。したがって、待ち受け状態（CELL_PCH状態又はURA_PCH状態）にある無線端末のページングは、一般的に、ルーティングエリア全体にページング信号をブロードキャストすることにより行われる。【０００７】
また、3GPP EPS（LTE）では、位置登録エリアはトラッキングエリア（Tracking Area（TA））と呼ばれる。さらに、EPSでは、無線端末に複数のTAを割り当てることが許容されている。具体的には、無線端末のアタッチ又は位置更新（Tracking Area Update（TAU））の際に、無線端末は１又は複数のTAを含むTAリストをCNから受信する。これにより、無線端末は、TAリスト単位で位置管理される。したがって、待ち受け状態（EMM-REGISTERED状態であるがRRC_IDLE状態かつECM_IDLE状態）にある無線端末のページングは、一般的に、TAリストに含まれる全てのTA内においてページング信号をブロードキャストすることにより行われる。【０００８】
しかしながら、ページング負荷を低減するために、一般的な位置登録エリア単位でのページングに比べてページングエリアをより絞り込むことが必要とされている。特許文献１及び２は、無線端末の移動履歴を利用することによって、一般的な位置登録エリアに比べてページングエリアをより絞り込む技術を開示している。ページングエリアを絞り込むことで移動通信システムのページング負荷を低減することができる。【０００９】
特許文献１は、無線端末から送信された位置更新メッセージの履歴を用いて単位時間当たりの無線端末の移動距離（i.e. 移動速度）を計算し、計算された移動距離を半径とする円内に含まれる基地局群をページングエリアとして決定することを開示している。【００１０】
特許文献２は、位置更新メッセージだけでなくGlobal Positioning System（GPS）による位置情報も用いて無線端末の位置管理を行うことを開示している。特許文献２に開示された方法は、上位ネットワークが把握している無線端末の最新の位置情報がGPS位置情報である場合に、当該GPS位置情報に基づいて、位置登録エリアに比べて限定された範囲のページングエリアを決定することを含む。さらに、特許文献２は、位置更新メッセージ及びGPS位置情報の履歴を用いて無線端末の移動速度を計算し、無線端末の移動速度が大きくなるほどページングエリアを大きくすることを開示している。【００１１】
特許文献３は、無線端末の通信状態（e.g., 通信量）又は動作状態（e.g., 移動の頻度）に応じて当該無線端末のページングエリアを決定することを記載している。具体的には、特許文献３に開示された無線端末は、自局の通信状態（e.g., 通信量）及び動作状態（e.g., 移動の頻度）を監視し、制御パケット（ページング要求パケット）をコアネットワークに送信する。特許文献３のコアネットワークは、無線端末から送信される制御パケット（ページング要求パケット）を受信し、当該制御パケットによって示される無線端末の通信状態又は無線端末の動作状態に応じて、無線端末のページングエリアを決定する。【００１２】
特許文献４は、以下のステップ（ａ）〜（ｃ）を含む通信方法を開示している。
（ａ）無線端末（典型的にはmachine-to-machine（M2M）デバイス）が低モビリティであることを明示する指標（indicator）を無線端末から通信ネットワークに送信すること、
（ｂ）無線端末の位置（典型的にはセクタ）を無線端末から通信ネットワークに通知すること、及び
（ｃ）通知された無線端末の位置（典型的にはセクタ）に限定してページングメッセージを送信すること。【００１３】
特許文献５は、基地局又はネットワークが無線端末のモビリティ状態を判定し、判定されたモビリティ状態に基づいて無線端末に割り当てるトラッキングエリア（TA）を決定することを開示している。例えば、無線端末に複数のＴＡを割り当てることが可能なアーキテクチャにおいて、基地局又はネットワークは、静止状態または低モビリティ状態の無線端末に対して１つのTAのみを割り当て、高モビリティ状態の無線端末に対して複数のTAを割り当てる。あるいは、各セルが複数のTAに属することができるアーキテクチャにおいて、ネットワークは、静止状態または低モビリティ状態の無線端末に対して小さな地理的エリアをカバーするTAのみを割り当て、高モビリティ状態の無線端末に対して大きな地理的エリアをカバーするTAを割り当てる。さらに、特許文献５は、無線端末のモビリティ状態を判定するために、（ａ）無線端末の位置更新（i.e., TAU）回数の計数値、又は（ｂ）無線端末によって実行されたセル再選択の回数の計数値、及び（ｃ）無線端末の位置（e.g. 経度および緯度）の測定結果、のうち少なくとも１つを用いることを開示している。
【先行技術文献】
【特許文献】
【００１４】
【特許文献１】特開２０１１−４９６１６号公報
【特許文献２】特開２００６−２１１３３５号公報
【特許文献３】特開２００５−２０７２６号公報
【特許文献４】米国特許出願公開第２０１２／０１４９３８３号明細書
【特許文献５】国際公開第２００８／１１２１６１号
【発明の概要】
【発明が解決しようとする課題】
【００１５】
本願の発明者等は、無線端末のページングに関する様々な課題を見出した。例えば、上述の特許文献１〜５は、ネットワーク内のページング制御エンティティ（e.g., Mobility Management Node（MME）又は基地局）が、当該制御エンティティによって計測された情報を用いて、又は無線端末から受信した制御情報を用いて、ページング最適化を実施することを開示している。しかしながら、特許文献１〜５は、無線アクセスネットワーク内に配置される基地局とコアネットワーク内に配置されるページング制御エンティティ（e.g., MME）の間のページング最適化のための協力又はインタラクションについて開示していない。【００１６】
したがって、本明細書に開示される実施形態が達成しようとする目的の１つは、無線アクセスネットワーク内に配置される基地局とコアネットワーク内に配置されるページング制御エンティティ（e.g., MME）の間のページング最適化のための協力又はインタラクションに寄与する装置、方法、及びプログラムを提供することである。その他の目的又は課題と新規な特徴は、本明細書の記述又は添付図面から明らかにされる。
【課題を解決するための手段】
【００１７】
第１の態様では、コアネットワークに配置される制御エンティティは、メモリと、前記メモリに結合された少なくとも１つのプロセッサを含む。前記少なくとも１つのプロセッサは、無線端末のモビリティ特性を示すアシスタンス情報を基地局から受信し、前記アシスタンス情報を用いて前記無線端末のページングに関する制御を行うよう構成されている。【００１８】
第２の態様では、無線アクセスネットワークに配置される基地局装置は、メモリと、前記メモリに結合された少なくとも１つのプロセッサを含む。前記少なくとも１つのプロセッサは、無線端末のモビリティ特性を示すアシスタンス情報をコアネットワークに送信するよう構成されている。前記アシスタンス情報は、前記無線端末のページングに関する制御のために前記コアネットワークにおいて使用される。【００１９】
第３の態様では、コアネットワークに配置される制御エンティティにより行われる方法は、無線端末のモビリティ特性を示すアシスタンス情報を基地局から受信すること、及び前記アシスタンス情報を用いて前記無線端末のページングに関する制御を行うこと、を含む。【００２０】
第４の態様では、無線アクセスネットワークに配置される基地局装置により行われる方法は、無線端末のモビリティ特性を示すアシスタンス情報をコアネットワークに送信することを含む。前記アシスタンス情報は、前記無線端末のページングに関する制御のために前記コアネットワークにおいて使用される。【００２１】
第５の態様では、プログラムは、コンピュータに読み込まれた場合に、上述の第３又は第４の態様に係る方法をコンピュータに行わせるための命令群（ソフトウェアコード）を含む。
【発明の効果】
【００２２】
上述の態様によれば、無線アクセスネットワーク内に配置される基地局とコアネットワーク内に配置されるページング制御エンティティ（e.g., MME）の間のページング最適化のための協力又はインタラクションに寄与する装置、方法、及びプログラムを提供できる。
【図面の簡単な説明】
【００２３】
【図１】いくつかの実施形態に係る移動通信システムの構成例を示す図である。
【図２】第１の実施形態に係るモビリティ管理ノードの動作の一例を示すフローチャートである。
【図３】第１の実施形態に係るページング制御手順の一例を示すシーケンス図である。
【図４】第２の実施形態に係る基地局の動作の一例を示すシーケンス図である。
【図５】いくつかの実施形態に係るモビリティ管理ノードの構成例を示すブロック図である。
【図６】いくつかの実施形態に係る基地局の構成例を示すブロック図である。
【図７】いくつかの実施形態に係る無線端末の構成例を示すブロック図である。
【発明を実施するための形態】
【００２４】
以下では、具体的な実施形態について、図面を参照しながら詳細に説明する。各図面において、同一又は対応する要素には同一の符号が付されており、説明の明確化のため、必要に応じて重複説明は省略される。
【００２５】
以下に示される複数の実施形態は、Evolved Packet System（EPS）を主な対象として説明される。しかしながら、これらの実施形態は、EPSに限定されるものではなく、他のモバイル通信ネットワーク又はシステム、例えば3GPP UMTS、3GPP2 CDMA2000システム、GSM/GPRSシステム、及びWiMAXシステム等に適用されてもよい。
【００２６】
＜第１の実施形態＞
図１は、本実施形態を含むいくつかの実施形態に係る移動通信システム１の構成例を示している。図１の例では、移動通信システム１は、E-UTRAN２０及びEPC３０を含む。E-UTRAN２０は、EPSの無線アクセスネットワークであり、複数の基地局（i.e., evolved NodeB（eNB））２１を含む。無線端末（i.e., User Equipment（UE））１１は、E-UTRAN２０及びEPC３０を介して外部ネットワーク４０と通信する。各eNB２１は、セル２２を生成し、無線アクセス技術によりUE１１と接続し、UE１１とEPC３０との間でユーザーデータを中継する。以下の説明において、複数のセル２２の少なくとも１つはセクタであってもよい。
【００２７】
EPC３０は、EPSのコアネットワークであり、複数のコントロールプレーン・エンティティ、及び複数のユーザプレーン（データプレーン）エンティティを含む。複数のコントロールプレーン・エンティティは、例えば、１又は複数のMME、１又は複数のHome Subscriber Server（HSS）、１又は複数のPolicy and Charging Rule Function（PCRF）、及び１又は複数のCall Session Control Function（SCSF）を含む。複数のユーザプレーン・エンティティは、例えば、１又は複数のServing Gateway（S-GW）及び１又は複数のPacket Data Network Gateway（P-GW）を含む。
【００２８】
図１には、コントロールプレーン・エンティティとしてのMME３１及びユーザプレーン・エンティティとしてのS/P-GW３２が示されている。MME３１は、UE１１のページング制御を含むモビリティ管理を行う。S/P-GW３２は、ユーザーデータパケットの転送処理（e.g., ルーティング及びフォワーディング）を行う。
【００２９】
MME３１は、UE１１のページングエリアを決定する。そして、MME３１は、待ち受け状態のUE１１に対するダウンリンクデータがEPC３０に到着したことに応答して、UE１１のページングエリア内の１又は複数のeNB２１に対してページング信号の送信を要求する。なお、EPSでの待ち受け状態は、UE１１のEPS Mobility Management（EMM）状態がEMM-REGISTEREDであるが、EPS Connection Management（ECM）状態がECM_IDLEであり、且つRadio Resource Control（RRC）状態がRRC_IDLEであるときに相当する。
【００３０】
続いて以下では、本実施形態に係るページング制御について説明する。図２は、MME３１の動作の一例（処理２００）を示すフローチャートである。ブロック２０１では、MME３１は、UE１１のモビリティ特性を示すアシスタンス情報を無線アクセスネットワークから受信する。ブロック２０２では、MME３１は、受信したアシスタンス情報を使用して、当該UE１１のページング制御を行う。当該ページング制御は、（ａ）UE１１のページングエリアを決定すること、（ｂ）UE11のページングのためのセル又はeNBのリストを決定すること、及び（ｃ）ページングエリア又はセル／eNBリストの決定に使用されるアルゴリズムを選択すること、のうち少なくとも１つを含んでもよい。
【００３１】
ページング制御のためのアシスタンス情報は、UE１１のモビリティ特性を明示的に示してもよいし、暗示的に示してもよい。モビリティ特性は、モビリティパターンということもできる。アシスタンス情報により示されるモビリティ特性は、モビリティ（移動性）の有無、モビリティの大きさ、移動範囲に対する制約、移動のランダム性、移動頻度、ハンドオーバ頻度、移動速度、及び滞在セル履歴、のうち少なくとも１つを含んでもよい。
【００３２】
モビリティの有無とは、UE１１が実質的なモビリティを有するか否かを意味する。例えば、eNB２１は、UE１１のセル間移動（i.e., ハンドオーバ）が所定期間を超えて一度も行われない場合に、UE１１が実質的なモビリティを有していないと判定してもよい。この場合、eNB２１は、UE１１がモビリティを有していないこと又はstationaryであることを明示的に示すアシスタンス情報をMME３１に送信してもよい。これに代えて、eNB２１は、モビリティの有無を暗示的に示すアシスタンス情報として、UE１１の滞在セル履歴（滞在セルが長時間変化しないことを示す）をMME３１に送信してもよい。
【００３３】
モビリティの大きさは、UE１１が有するモビリティ・レベルを意味する。例えば、eNB２１は、UE１１のセル間移動（i.e., ハンドオーバ）の頻度に基づいて判定されたモビリティ・レベル（e.g., 高モビリティ、低モビリティ）を明示的に示すアシスタンス情報をMME３１に送信してもよい。これに代えて、eNB２１は、モビリティの有無を暗示的に示すアシスタンス情報として、UE１１の滞在セル履歴をMME３１に送信してもよい。
【００３４】
いくつかの実装において、MME３１は、UE１１のアシスタンス情報に基づいて当該UE１１がstationary又は低モビリティであると判定された場合に、当該UE１１がstationary又は低モビリティではない場合に比べて小さな地理的領域をカバーするページングエリア（又はセル／eNBリスト）を決定してもよい。いくつかの実装において、MME３１は、UE１１のアシスタンス情報に基づいて当該UE１１が低モビリティであると判定された場合に、低モビリティ用のアルゴリズムに従って当該UE１１のページングエリアを決定してもよい。
【００３５】
移動範囲に対する制約とは、移動局１００が実質的に移動可能とされる地理的な範囲に何らかの制限があること、又はUE１１の移動方向又は移動軌跡に何らかの規則性が見いだせることを意味する。“移動範囲に対する制約”は、“移動の反復性”と言うこともできる。例えば、鉄道車両にUE１１が搭載される場合、移動局UE１１が実質的に移動可能とされる地理的な範囲は、鉄道線路に沿った一次元的な領域に制約される。例えば、eNB２１は、UE１１のセル間移動（i.e., ハンドオーバ）の履歴（又は滞在セル履歴）に基づいて、UE１１の移動範囲に対する制約の有無を判定してもよい。この場合、eNB２１は、UE１１の移動範囲に対する制約が存在することを明示的に示すアシスタンス情報をMME３１に送信してもよい。これに代えて、eNB２１は、移動範囲に対する制約の存在を暗示的に示すアシスタンス情報として、UE１１の滞在セル履歴（滞在セルが地理的に制限されている）をMME３１に送信してもよい。
【００３６】
いくつかの実装において、MME３１は、UE１１のアシスタンス情報に基づいて当該UE１１の移動範囲に制約が存在すると推定される場合に、当該移動範囲に含まれる１又は複数のセルをUE１１のページングエリアとして選択してもよい。言い換えると、MME３１は、UE１１の移動方向への依存性が大きい地理的領域をUE１１のページングエリアとしてもよい。移動方向依存性の大きい地理的領域は、例えば、UE１１の移動方向が他の方向に比べて優先的に含まれる非円形の地理的領域であってもよい。
【００３７】
移動のランダム性とは、UE１１の移動方向が過去の移動履歴に関わらず不規則な方向であること、言い換えるとUE１１の移動軌跡に実質的な規則性がないことを意味する。例えば、eNB２１は、UE１１の滞在セル履歴に実質的な規則性が存在しない場合に、ランダム性の存在を判定してもよい。この場合、eNB２１は、UE１１のモビリティにランダム性が存在することを明示的に示すアシスタンス情報をMME３１に送信してもよい。これに代えて、eNB２１は、ランダム性があることを暗示的に示すアシスタンス情報として、UE１１の滞在セル履歴（UE１１の移動軌跡に実質的な規則性がないことを示す）をMME３１に送信してもよい。
【００３８】
いくつかの実装において、MME３１は、UE１１のアシスタンス情報に基づいてUE１１が移動にランダム性があることを判定した場合に、UE１１の移動方向への依存性が小さく、かつ大きさが可変である地理的領域を特定し、当該地理的領域に含まれる１又は複数のセルをページングエリアとしてとして選択してもよい。移動方向依存性の小さい地理的領域とは、例えば円形の領域である。地理的領域の大きさは、UE１１の移動速度に応じて決定されてよい。
【００３９】
すなわち、eNB２１からMME３１に送信されるアシスタンス情報は、UE１１のモビリティ特性（又はモビリティパターン）のタイプまたはクラスを示す表示（indicator）又は識別子であってもよい。あるいは、当該アシスタンス情報は、１又は複数のeNB２１によって取得された（観測された）UE１１に関する計測情報または履歴（history）情報であってもよい。例えば、当該アシスタンス情報は、（ａ）１又は複数のeNB２１により取得されたUE１１に関する計測情報、（ｂ）１又は複数のeNB２１において取得されたUE１１に関する履歴情報、（ｃ）１又は複数のeNB２１において決定されたUE１１に関する設定情報、（ｄ）推奨されるセルのリスト、及び（ｅ）推奨される基地局のリスト、のうち少なくとも１つを含んでもよい。推奨されるセルのリスト（list of recommended cells）は、UE１１の滞在セル履歴に基づいて選択されたUE１１に到達できる可能性の高い１又は複数のセルを示してもよい。推奨される基地局のリストは、推奨されるセルのリストから推定された（deduced）１又は複数のeNB２１の識別子を示してもよい。これらの情報は、ページングを効果的に送信するためにMME３１によって使用される。
【００４０】
また、eNB２１からMME３１に送信されるアシスタンス情報は、UE単位であってもよいし、UEsのグループ（UEグループ）単位で行ってもよい。UEグループは、例えば、UEの種別によって定義されてもよいし、UEが利用するアプリケーション又はサービスによって定義されてもよい。
【００４１】
eNB２１は、UE１１に関するアシスタンス情報を任意のタイミングでEPC３０に送信してもよい。eNB２１は、当該アシスタンス情報を周期的に又は非周期的にEPC３０に送信してもよい。しかしながら、頻繁なアシスタンス情報の送信は、eNB２１とEPC３０の間の制御シグナリング（i.e., S1シグナリング）の負荷を増加させることに留意されるべきである。
【００４２】
MME３１は、UE１１がIDLE状態である場合に当該UE１１のページングを実行する必要がある。したがって、いくつかの実装において、eNB２１は、UE１１に関するアシスタンス情報の当該eNB２１による取得が停止されることに応じて、当該アシスタンス情報をEPC３０に送信してもよい。言い換えると、EPC３０（MME３１）は、UE１１に関するアシスタンス情報の当該eNB２１による取得が停止されることに応じて、当該アシスタンス情報をeNB２１から受信してもよい。より具体的に述べると、eNB２１は、UE１１がCONNECTED状態からIDLE状態に遷移することに応じて、当該UE１１のアシスタンス情報をEPC３０（MME３１）に送信してもよい。これにより、eNB２１は、EPC３０（MME３１）によるページングが必要とされるときに最新のアシスタンス情報をタイムリーにEPC３０に供給することができる。また、頻繁なS1シグナリングの発生の抑制が期待される。
【００４３】
ここで、本明細書及び特許請求の範囲で使用する「CONNECTED状態」及び「IDLE状態」の用語の定義を述べる。「IDLE状態」とは、無線端末（e.g., UE１１）がCN（e.g., EPC３０）との間でセッション管理及びモビリティ管理のための制御信号の継続的な交換を行っておらず、RAN（e.g., E-UTRAN２０）での無線接続が解放（release）された状態を意味する。IDLE状態の一例は、ECM-IDLE状態且つRRC_IDLE状態である。UEがRRC_IDLEであるとき、当該UEのRRCコネクションが解放される。
【００４４】
これに対して「CONNECTED状態」とは、EPSのECM-CONNECTED状態且つRRC_CONNECTED状態のように、少なくとも無線端末（e.g., UE１１）とCN（e.g., EPC３０）との間でセッション管理及びモビリティ管理のための制御信号（制御メッセージ）を送受信するための無線接続がRAN（e.g., E-UTRAN２０）において確立され、無線端末とCNとの間で制御信号（制御メッセージ）を送受信可能なコネクションが確立された状態を意味する。つまり、「CONNECTED状態」は、少なくともセッション管理及びモビリティ管理のための制御信号（制御メッセージ）を送受信できるように無線端末がCNに接続された状態であればよい。「CONNECTED状態」は、無線端末と外部ネットワークの間でユーザーデータを送受信するためのデータベアラが設定された状態でもよいし、「CONNECTED状態」は、移動端末がCNとの制御コネクションを有するがデータベアラを有していない状態であってもよい。「CONNECTED状態」は、「ACTIVE状態」と呼ぶこともできる。
【００４５】
また、典型的には、CNは、CONNECTED状態の無線端末の位置をセル単位で管理し、IDLE状態の無線端末の位置を複数のセルを含む位置登録エリア（e.g., トラッキングエリア、ルーティングエリア）単位で管理する。IDLE状態の無線端末は、ある位置登録エリアから別の位置登録エリアに移動した場合に、位置登録エリアの更新を示すメッセージをCNに送信する。CNは、IDLE状態の無線端末に対するダウンリンクトラフィック（ダウンリンクデータ又は音声着信）が到着した場合に、当該無線端末のページングエリアに対してページング信号を送信する。
【００４６】
以上の説明から理解されるように、本実施形態では、MME３１は、eNB２１から受信したUE１１のアシスタンス情報を用いて、当該UE１１のページング制御（又はページング最適化）を実行するよう構成されている。したがって、本実施形態に係るeNB２１及びMME３１は、E-UTRAN２０とEPC３０の間のページング最適化のための協力又はインタラクションに寄与することができる。
【００４７】
図３は、本実施形態に係るページング制御手順の一例（処理３００）を示すシーケンス図である。ブロック３０１では、UE１１は、CONNECTED状態、すなわちRRC_CONNECTED且つECM-CONNECTEDである。すなわち、UE１１は、eNB２１Ａとの間にRRCコネクションを有し、eNB２１ＡとMME３１の間のS1APシグナリングコネクションを利用して、MME３１との間でNon-Access Stratum（NAS）メッセージを送信および受信することができる。
【００４８】
ブロック３０２及び３０３では、UE１１のCONNECTED状態からIDLE状態への遷移に伴って、eNB２１ＡにおいてUE１１に関する設定情報（S1 UEコンテキスト）を解放する手順が行われる。当該手順は、図示されていないMME３１からの指示（i.e., S1AP: S1 UE Context Release Commandメセージ）によってトリガーされてもよい。これに代えて、eNB２１ＡがUE１１に関するシグナリングコネクション及び無線ベアラの解放の必要性（e.g., user inactivity、又はrelease due to UE generated signalling connection release）を検出した場合、eNB２１Ａは、S1AP: S1 UE Context Release RequestメッセージをMME３１に送信することによってS1解放（release）をトリガーしてもよい。
【００４９】
ブロック３０２では、eNB２１Ａは、UE１１とのRRCコネクションを解放する。ブロック３０３では、eNB２１Ａは、UE１１のモビリティ特性に関するアシスタンス情報をMME３１に送信する。ブロック３０３は、ブロック３０２より前に行われてもよい。ブロック３０３でのアシスタンス情報は、図３に示されるように、S1AP: S1 UE Context Release Requestメッセージ又はS1AP: S1 UE Context Release Completeメッセージを用いてMME３１に送信されてもよい。
【００５０】
ブロック３０４では、MME３１は、eNB２１Ａから受信したアシスタンス情報を用いて、UE１１に関するページング制御を行う。例えば、MME３１は、UE１１のページングエリアを決定する。図３の例では、決定され他ページングエリアは、eNB２１Ａ、eNB２１Ｂ、及びeNB２１Ｃを含む。
【００５１】
ブロック３０５では、MME３１は、EPC３０にUE１１のためのダウンリンクトラフィックが到着したことに応答して、UE１１のページングエリア内のeNB２１Ａ、eNB２１Ｂ、及びeNB２１ＣにUE１１のページングを要求する。ブロック３０６では、eNB２１Ａ、eNB２１Ｂ、及びeNB２１Ｃは、UE１１を呼び出すためのページング信号を送信する。
【００５２】
図３の手順では、UE１１がCONNECTED状態からIDLE状態への遷移する際に、eNB２１は、UE１１に関するアシスタンス情報をMME３１に送信する。したがって、eNB２１は、EPC３０（MME３１）によるページングが必要とされるときに最新のアシスタンス情報をタイムリーにEPC３０に供給することができる。
【００５３】
＜第２の実施形態＞
本実施形態では、eNBs２１間でアシスタンス情報を転送する例について説明する。本実施形態で述べるeNBs２１間でのアシスタンス情報の転送は、第１の実施形態で説明したアシスタンス情報のeNB２１からEPC３０（MME３１）への送信に加えて行われてもよい。本実施形態に係る無線通信システムの構成例は、第１の実施形態で説明した図１と同様である。
【００５４】
図４は、２つのeNBs２１間でのアシスタンス情報の送信手順の一例（処理４００）を示すシーケンス図である。ステップＳ４０１では、eNB２１Ｓは、UE１１に関するアシスタンス情報を含む制御メッセージ（e.g.,  X2 Application Protocol（X2AP）メッセージ）をeNB２１Ｔに送信する。
【００５５】
eNB２１Ｓは、CONNECTED状態のUE１１のセル間移動（i.e., ハンドオーバ）の際に、当該UE１１のアシスタンス情報をeNB２１Ｔに送信してもよい。例えば、eNB２１Ｓは、UE１１のハンドオーバを決定したことに応答して、当該UE１１に関するアシスタンス情報を含むX2AP: HANDOVER REQUESTメッセージをeNB２１Ｔに送信してもよい。
【００５６】
本実施形態によれば、eNBs２１間でアシスタンス情報を転送できる。したがって、本実施形態では、複数のeNB２１は、互いに協力して、CONNECTED状態のままセル間を移動するUE１１に関する継続的なアシスタンス情報（e.g., 滞在セル履歴）を取得することができる。さらに、eNB２１は、UE１１がIDLE状態に変わる際に、複数のeNB２１の協力で得られたアシスタンス情報をEPC３０（MME３１）に送信すればよい。これにより、例えば、ページング最適化の精度の向上が期待できる。
【００５７】
最後に、上述の複数の実施形態に係るMME３１、eNB２１、及びUE１１の構成例について説明する。図５は、MME３１の構成例を示すブロック図である。図５を参照すると、MME３１は、ネットワークインタフェース５０１、プロセッサ５０２、及びメモリ５０３を含む。ネットワークインタフェース５０１は、１又は複数のネットワーク・エンティティ（e.g., eNB２１、S/P-GW３２、及びHSS）と通信するために使用される。ネットワークインタフェース５０１は、複数の論理的又は物理的なインタフェースを含んでもよい。ネットワークインタフェース５０１は、例えば、IEEE 802.3 seriesに準拠した１又は複数のネットワークインタフェースカード（NIC）を含んでもよい。
【００５８】
プロセッサ５０２は、メモリ５０３からソフトウェア（コンピュータプログラム）を読み出して実行することで、MME３１に関する処理を実行する。プロセッサ５０２は、例えば、マイクロプロセッサ、Micro Processing Unit（MPU）、又はCentral Processing Unit（CPU）であってもよい。プロセッサ５０２は、複数のプロセッサを含んでもよい。
【００５９】
メモリ５０３は、揮発性メモリ及び不揮発性メモリの組み合わせによって構成される。揮発性メモリは、例えば、Static Random Access Memory（SRAM）若しくはDynamic RAM（DRAM）又はこれらの組み合わせである。不揮発性メモリは、例えば、マスクRead Only Memory（MROM）、Programmable ROM（PROM）、フラッシュメモリ、若しくはハードディスクドライブ、又はこれらの任意の組合せである。メモリ５０３は、プロセッサ５０２から物理的に離れて配置されたストレージを含んでもよい。この場合、プロセッサ５０２は、ネットワークインタフェース５０１又は図示されていない他のI/Oインタフェースを介してメモリ５０３にアクセスしてもよい。
【００６０】
メモリ５０３は、上述の複数の実施形態で説明されたMME３１による処理を行うための命令群およびデータを含むソフトウェアモジュール（コンピュータプログラム）を格納してもよい。いくつかの実装において、プロセッサ５０２は、当該ソフトウェアモジュールをメモリ５０３から読み出して実行することで、上述の実施形態で説明されたMME３１の処理を行うよう構成されてもよい。
【００６１】
より具体的に説明すると、図５の例では、メモリ５０３は、ページング制御モジュール５０４を含むソフトウェアモジュール群を格納するために使用される。ページング制御モジュール５０４は、E-UTRAN２０から受信したUE１１のモビリティ特性を示すアシスタンス情報を用いて当該UE１１に関するページング制御を実行するための命令群およびデータを含む。プロセッサ５０２は、ページング制御モジュール５０４を含むソフトウェアモジュールをメモリ５０３から読み出して実行することで、上述の実施形態で説明されたMME３１による処理を行うことができる。
【００６２】
図６は、上述の実施形態に係るeNB２１の構成例を示すブロック図である。図１８を参照すると、eNB１２は、Radio Frequency（RF）トランシーバ６０１、ネットワークインタフェース６０３、プロセッサ６０４、及びメモリ６０５を含む。RFトランシーバ６０１は、UE１１と通信するためにアナログRF信号処理を行う。RFトランシーバ６０１は、複数のトランシーバを含んでもよい。RFトランシーバ６０１は、アンテナ６０２及びプロセッサ６０４と結合される。RFトランシーバ６０１は、変調シンボルデータ（又はOFDMシンボルデータ）をプロセッサ６０４から受信し、送信RF信号を生成し、送信RF信号をアンテナ６０２に供給する。また、RFトランシーバ６０１は、アンテナ６０２によって受信された受信ＲＦ信号に基づいてベースバンド受信信号を生成し、これをプロセッサ６０４に供給する。
【００６３】
ネットワークインタフェース６０３は、ネットワークノード（e.g., MMEおよびS/P-GW）と通信するために使用される。ネットワークインタフェース６０３は、例えば、IEEE 802.3 seriesに準拠したネットワークインタフェースカード（NIC）を含んでもよい。
【００６４】
プロセッサ６０４は、無線通信のためのデジタルベースバンド信号処理（データプレーン処理）とコントロールプレーン処理を行う。例えば、LTEおよびLTE-Advancedの場合、プロセッサ６０４によるデジタルベースバンド信号処理は、Packet Data Convergence Protocol（PDCP）レイヤ、Radio Link Control（RLC）レイヤ、Medium Access Control（MAC）レイヤ、およびPHYレイヤの信号処理を含んでもよい。また、プロセッサ６０４によるコントロールプレーン処理は、S1プロトコル、RRCプロトコル、及びMAC Control Element（CE）の処理を含んでもよい。
【００６５】
プロセッサ６０４は、複数のプロセッサを含んでもよい。例えば、プロセッサ６０４は、デジタルベースバンド信号処理を行うモデム・プロセッサ（e.g., Digital Signal Processor（DSP））とコントロールプレーン処理を行うプロトコルスタック・プロセッサ（e.g., CPU又はMPU）を含んでもよい。
【００６６】
メモリ６０５は、揮発性メモリ及び不揮発性メモリの組み合わせによって構成される。揮発性メモリは、例えば、SRAM若しくはDRAM又はこれらの組み合わせである。不揮発性メモリは、例えば、MROM、PROM、フラッシュメモリ、若しくはハードディスクドライブ、又はこれらの組合せである。メモリ６０５は、プロセッサ６０４から離れて配置されたストレージを含んでもよい。この場合、プロセッサ６０４は、ネットワークインタフェース６０３又は図示されていないI/Oインタフェースを介してメモリ６０５にアクセスしてもよい。
【００６７】
メモリ６０５は、上述の複数の実施形態で説明されたeNB２１による処理を行うための命令群およびデータを含むソフトウェアモジュール（コンピュータプログラム）を格納してもよい。いくつかの実装において、プロセッサ６０４は、当該ソフトウェアモジュールをメモリ６０５から読み出して実行することで、上述の実施形態で説明されたeNB２１の処理を行うよう構成されてもよい。
【００６８】
図７は、UE１１の構成例を示すブロック図である。Radio Frequency（RF）トランシーバ７０１は、eNB２１と通信するためにアナログRF信号処理を行う。RFトランシーバ７０１により行われるアナログRF信号処理は、周波数アップコンバージョン、周波数ダウンコンバージョン、及び増幅を含む。RFトランシーバ７０１は、アンテナ７０２及びベースバンドプロセッサ７０３と結合される。すなわち、RFトランシーバ７０１は、変調シンボルデータ（又はOFDMシンボルデータ）をベースバンドプロセッサ７０３から受信し、送信RF信号を生成し、送信RF信号をアンテナ７０２に供給する。また、RFトランシーバ７０１は、アンテナ７０２によって受信された受信ＲＦ信号に基づいてベースバンド受信信号を生成し、これをベースバンドプロセッサ７０３に供給する。
【００６９】
ベースバンドプロセッサ７０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００７０】
例えば、LTEおよびLTE-Advancedの場合、ベースバンドプロセッサ７０３によるデジタルベースバンド信号処理は、PDCPレイヤ、RLCレイヤ、MACレイヤ、およびPHYレイヤの信号処理を含んでもよい。また、ベースバンドプロセッサ７０３によるコントロールプレーン処理は、NASプロトコル、RRCプロトコル、及びMAC CEの処理を含んでもよい。
【００７１】
ベースバンドプロセッサ７０３は、デジタルベースバンド信号処理を行うモデム・プロセッサ（e.g., Digital Signal Processor（DSP））とコントロールプレーン処理を行うプロトコルスタック・プロセッサ（e.g., CPU）、又はMPU）を含んでもよい。この場合、コントロールプレーン処理を行うプロトコルスタック・プロセッサは、後述するアプリケーションプロセッサ７０４と共通化されてもよい。
【００７２】
アプリケーションプロセッサ７０４は、CPU、MPU、マイクロプロセッサ、又はプロセッサコアとも呼ばれる。アプリケーションプロセッサ７０４は、複数のプロセッサ（複数のプロセッサコア）を含んでもよい。アプリケーションプロセッサ７０４は、メモリ７０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、UE１１の各種機能を実現する。
【００７３】
いくつかの実装において、図１７に破線（７０５）で示されているように、ベースバンドプロセッサ７０３及びアプリケーションプロセッサ７０４は、１つのチップ上に集積されてもよい。言い換えると、ベースバンドプロセッサ７０３及びアプリケーションプロセッサ７０４は、１つのSystem on Chip（SoC）デバイス７０５として実装されてもよい。SoCデバイスは、システムLarge Scale Integration（LSI）またはチップセットと呼ばれることもある。
【００７４】
メモリ７０６は、揮発性メモリ若しくは不揮発性メモリ又はこれらの組合せである。メモリ７０６は、物理的に独立した複数のメモリデバイスを含んでもよい。揮発性メモリは、例えば、SRAM若しくはDRAM又はこれらの組み合わせである。不揮発性メモリは、MROM、EEPROM、フラッシュメモリ、若しくはハードディスクドライブ、又はこれらの任意の組合せである。例えば、メモリ７０６は、ベースバンドプロセッサ７０３、アプリケーションプロセッサ７０４、及びSoC７０５からアクセス可能な外部メモリデバイスを含んでもよい。メモリ７０６は、ベースバンドプロセッサ７０３内、アプリケーションプロセッサ７０４内、又はSoC７０５内に集積された内蔵メモリデバイスを含んでもよい。さらに、メモリ７０６は、Universal Integrated Circuit Card（UICC）内のメモリを含んでもよい。
【００７５】
メモリ７０６は、上述の複数の実施形態で説明されたUE１１による処理を行うための命令群およびデータを含むソフトウェアモジュール（コンピュータプログラム）を格納してもよい。いくつかの実装において、ベースバンドプロセッサ７０３又はアプリケーションプロセッサ７０４は、当該ソフトウェアモジュールをメモリ７０６から読み出して実行することで、上述の実施形態で説明されたUE１１の処理を行うよう構成されてもよい。
【００７６】
図５〜図７を用いて説明したように、上述の実施形態に係るMME３１、eNB２１、及びUE１１の各々が有する１又は複数のプロセッサは、図面を用いて説明されたアルゴリズムをコンピュータに行わせるための命令群を含む１又は複数のプログラムを実行してもよい。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７７】
＜その他の実施形態＞
いくつかの実装において、UE１１のモビリティ特性を示すアシスタンス情報は、eNB２１からUE１１に送信されてもよい。さらに又はこれに代えて、UE１１のモビリティ特性を示すアシスタンス情報は、UE１１からMME３１に送信されてもよい。いくつかの実装において、UE１１のモビリティ特性を示すアシスタンス情報は、UE１１からMME３１に送信されてもよい。この場合、UE１１は、いずれかのNASメッセージ（e.g., Attach Requestメッセージ、Service Requestメッセージ）を用いてアシスタンス情報を送信してもよい。MME３１は、UE１１から受信したUE１１のアシスタンス情報を用いて、当該UE１１のページング制御（又はページング最適化）を実行するよう構成されてもよい。
【００７８】
いくつかの実装において、MME３１は、UE１１がCONNECTED状態であるときに最後に帰属していたセルのE-UTRAN Cell Global Identifier（ECGI）（i.e., last known ECGI）をページング要求とともにeNB２１に送信してもよい。当該last known ECGIは、eNB２１がページングを当該特定のセルに限定するために使用されてもよい。
【００７９】
いくつかの実装において、MME３１は、UE１１によって最後に使用されたeNB２１（last used eNB）にページング要求を送信してもよい。この場合、ページング要求を受信したeNB２１は、eNB間インタフェース（i.e., X2インタフェース）を介して、適切な隣接eNBにページング要求（ページングメッセージ）を転送してもよい。
【００８０】
いくつかの実装において、eNB２１は、UE１１がIDLE状態に遷移するのに伴ってS1 UEコンテキストを解放する際に（S1 release）、UE１１がCONNECTED状態であるときの情報に基づいて、現在のUEのセルカバレッジ情報（current UE’s cell coverage information）をMME３１に送信してもよい。セルカバレッジ情報は、UE１１が最後に位置していたセルに対して重複するカバレッジ（重複するセル）を提供する１又は複数のeNB２１を示す。MMR３１は、受信したセルカバレッジ情報（current UE’s cell coverage information）に基づいて、UE１１をページするためのページング要求を送信する１又は複数のeNB２１を選択してもよい。
【００８１】
上述の実施形態は、各々独立に実施されてもよいし、適宜組み合わせて実施されてもよい。
【００８２】
上述の実施形態は、LTE/LTE-Advanced及びその改良について主に説明した。しかしながら、上述の実施形態は、他の無線通信システム、例えばUMTSに適用されてもよい。上述の実施形態で説明されたeNB２１は、無線局又は基地局と呼ぶこともできる。本明細書における無線局又は基地局は、無線リソース管理機能を持つ制御ノード（e.g., UMTSにおけるRadio Network Controller（RNC）、又はGSMシステムにおけるBase Station Controller（BSC））及び無線送信ノード（e.g., UMTSにおけるNodeB、又はGSMシステムにおけるBase transceiver station （BTS））を含んでもよい。
【００８３】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００８４】
例えば、上記の実施形態の一部又は全部は、以下の付記のようにも記載され得るが、以下には限られない。
【００８５】
（付記１）
コアネットワークに配置される制御エンティティであって、
メモリと、
前記メモリに結合された少なくとも１つのプロセッサと、
を備え、
前記少なくとも１つのプロセッサは、無線端末のモビリティ特性を示すアシスタンス情報を基地局から受信し、前記アシスタンス情報を用いて前記無線端末のページングに関する制御を行うよう構成されている、
制御エンティティ。
【００８６】
（付記２）
前記モビリティ特性は、モビリティの有無、モビリティの大きさ、移動範囲に対する制約、移動のランダム性、移動頻度、ハンドオーバ頻度、移動速度、及び滞在セル履歴、のうち少なくとも１つを含む、
付記１に記載の制御エンティティ。
【００８７】
（付記３）
前記少なくとも１つのプロセッサは、前記基地局による前記アシスタンス情報の取得が停止されることに応じて、前記アシスタンス情報を受信するよう構成されている、
付記１又は２に記載の制御エンティティ。
【００８８】
（付記４）
前記少なくとも１つのプロセッサは、前記無線端末がCONNECTED状態からIDLE状態に遷移することに応じて、前記アシスタンス情報を受信するよう構成されている、
付記１又は２に記載の制御エンティティ。
【００８９】
（付記５）
前記ページングに関する制御は、（ａ）前記無線端末のページングエリアを決定すること、（ｂ）前記無線端末のページングのためのセル又は基地局のリストを決定すること、及び（ｃ）前記ページングエリア又は前記リストの決定に使用されるアルゴリズムを選択すること、のうち少なくとも１つを含む、
付記１〜４のいずれか１項に記載の制御エンティティ。
【００９０】
（付記６）
前記アシスタンス情報は、（ａ）１又は複数の基地局により取得された前記無線端末に関する計測情報、（ｂ）前記１又は複数の基地局において取得された前記無線端末に関する履歴情報、（ｃ）前記１又は複数の基地局において決定された前記無線端末に関する設定情報、（ｄ）推奨されるセルのリスト、及び（ｅ）推奨される基地局のリスト、のうち少なくとも１つを含む、
付記１〜５のいずれか１項に記載の制御エンティティ。
【００９１】
（付記７）
前記アシスタンス情報は、前記無線端末がCONNECTED状態であるときに前記１又は複数の基地局によって取得される、
付記６に記載の制御エンティティ。
【００９２】
（付記８）
無線アクセスネットワークに配置される基地局装置であって、
メモリと、
前記メモリに結合された少なくとも１つのプロセッサと、
を備え、
前記少なくとも１つのプロセッサは、無線端末のモビリティ特性を示すアシスタンス情報をコアネットワークに送信するよう構成され、
前記アシスタンス情報は、前記無線端末のページングに関する制御のために前記コアネットワークにおいて使用される、
基地局装置。
【００９３】
（付記９）
前記モビリティ特性は、モビリティの有無、モビリティの大きさ、移動範囲に対する制約、移動のランダム性、移動頻度、ハンドオーバ頻度、移動速度、及び滞在セル履歴、のうち少なくとも１つを含む、
付記８に記載の基地局装置。
【００９４】
（付記１０）
前記少なくとも１つのプロセッサは、前記基地局装置による前記アシスタンス情報の取得が停止されることに応じて、前記アシスタンス情報を前記コアネットワークに送信するよう構成されている、
付記８又は９に記載の基地局装置。
【００９５】
（付記１１）
前記少なくとも１つのプロセッサは、前記無線端末がCONNECTED状態からIDLE状態に遷移することに応じて、前記アシスタンス情報を前記コアネットワークに送信するよう構成されている、
付記８又は９に記載の基地局装置。
【００９６】
（付記１２）
前記少なくとも１つのプロセッサは、前記基地局装置から他の基地局への前記無線端末のハンドオーバの際に、前記アシスタンス情報を前記他の基地局に送信するよう構成されている、
付記８〜１１のいずれか１項に記載の基地局装置。
【００９７】
（付記１３）
前記アシスタンス情報は、（ａ）前記基地局装置を含む少なくとも１つの基地局により取得された前記無線端末に関する計測情報、（ｂ）前記少なくとも１つの基地局により取得された前記無線端末に関する履歴情報、（ｃ）前記少なくとも１つの基地局により決定された前記無線端末に関する設定情報、（ｄ）推奨されるセルのリスト、及び（ｅ）推奨される基地局のリスト、のうち少なくとも１つを含む、
付記８〜１２のいずれか１項に記載の基地局装置。
【００９８】
（付記１４）
前記アシスタンス情報は、前記無線端末がCONNECTED状態であるときに前記少なくとも１つの基地局によって取得される、
付記１３に記載の基地局装置。
【００９９】
（付記１５）
コアネットワークに配置される制御エンティティにより行われる方法であって、
無線端末のモビリティ特性を示すアシスタンス情報を基地局から受信すること、及び
前記アシスタンス情報を用いて前記無線端末のページングに関する制御を行うこと、
を備える方法。
【０１００】
（付記１６）
前記モビリティ特性は、モビリティの有無、モビリティの大きさ、移動範囲に対する制約、移動のランダム性、移動頻度、ハンドオーバ頻度、移動速度、及び滞在セル履歴、のうち少なくとも１つを含む、
付記１５に記載の方法。
【０１０１】
（付記１７）
前記受信することは、前記基地局による前記アシスタンス情報の取得が停止されることに応じて、前記アシスタンス情報を受信することを含む、
付記１５又は１６に記載の方法。
【０１０２】
（付記１８）
前記受信することは、前記無線端末がCONNECTED状態からIDLE状態に遷移することに応じて、前記アシスタンス情報を受信することを含む、
付記１５又は１６に記載の方法。
【０１０３】
（付記１９）
前記ページングに関する制御は、（ａ）前記無線端末のページングエリアを決定すること、（ｂ）前記無線端末のページングのためのセル又は基地局のリストを決定すること、及び（ｃ）前記ページングエリア又は前記リストの決定に使用されるアルゴリズムを選択すること、のうち少なくとも１つを含む、
付記１５〜１８のいずれか１項に記載の方法。
【０１０４】
（付記２０）
前記アシスタンス情報は、（ａ）１又は複数の基地局により取得された前記無線端末に関する計測情報、（ｂ）前記１又は複数の基地局において取得された前記無線端末に関する履歴情報、（ｃ）前記１又は複数の基地局において決定された前記無線端末に関する設定情報、（ｄ）推奨されるセルのリスト、及び（ｅ）推奨される基地局のリスト、のうち少なくとも１つを含む、
付記１５〜１９のいずれか１項に記載の方法。
【０１０５】
（付記２１）
前記アシスタンス情報は、前記無線端末がCONNECTED状態であるときに前記１又は複数の基地局によって取得される、
付記２０に記載の方法。
【０１０６】
（付記２２）
無線アクセスネットワークに配置される基地局装置により行われる方法であって、
無線端末のモビリティ特性を示すアシスタンス情報をコアネットワークに送信することを備え、
前記アシスタンス情報は、前記無線端末のページングに関する制御のために前記コアネットワークにおいて使用される、
方法。
【０１０７】
（付記２３）
前記モビリティ特性は、モビリティの有無、モビリティの大きさ、移動範囲に対する制約、移動のランダム性、移動頻度、ハンドオーバ頻度、移動速度、及び滞在セル履歴、のうち少なくとも１つを含む、
付記２２に記載の方法。
【０１０８】
（付記２４）
前記送信することは、前記基地局装置による前記アシスタンス情報の取得が停止されることに応じて、前記アシスタンス情報を前記コアネットワークに送信することを含む、
付記２２又は２３に記載の方法。
【０１０９】
（付記２５）
前記送信することは、前記無線端末がCONNECTED状態からIDLE状態に遷移することに応じて、前記アシスタンス情報を前記コアネットワークに送信することを含む、
付記２２又は２３に記載の方法。
【０１１０】
（付記２６）
前記基地局装置から他の基地局への前記無線端末のハンドオーバの際に、前記アシスタンス情報を前記他の基地局に送信することをさらに備える、
付記２２〜２５のいずれか１項に記載の方法。
【０１１１】
（付記２７）
前記アシスタンス情報は、（ａ）前記基地局装置を含む少なくとも１つの基地局により取得された前記無線端末に関する計測情報、（ｂ）前記少なくとも１つの基地局により取得された前記無線端末に関する履歴情報、（ｃ）前記少なくとも１つの基地局により決定された前記無線端末に関する設定情報、（ｄ）推奨されるセルのリスト、及び（ｅ）推奨される基地局のリスト、のうち少なくとも１つを含む、
付記２２〜２６のいずれか１項に記載の方法。
【０１１２】
（付記２８）
前記アシスタンス情報は、前記無線端末がCONNECTED状態であるときに前記少なくとも１つの基地局によって取得される、
付記２７に記載の方法。
【０１１３】
（付記２９）
無線アクセスネットワークに配置される第１の基地局と、
コアネットワークに配置されるページング制御エンティティと、
を備え、
前記第１の基地局は、無線端末のモビリティ特性を示すアシスタンス情報を前記コアネットワークに送信するよう構成され、
前記ページング制御エンティティは、前記アシスタンス情報を受信し、前記アシスタンス情報を用いて前記無線端末のページングに関する制御を行うよう構成されている、
移動通信システム。
【０１１４】
（付記３０）
前記モビリティ特性は、モビリティの有無、モビリティの大きさ、移動範囲に対する制約、移動のランダム性、移動頻度、ハンドオーバ頻度、移動速度、及び滞在セル履歴、のうち少なくとも１つを含む、
付記２９に記載の移動通信システム。
【０１１５】
（付記３１）
前記第１の基地局は、前記第１の基地局による前記アシスタンス情報の取得が停止されることに応じて、前記アシスタンス情報を前記コアネットワークに送信するよう構成されている、
付記２９又は３０に記載の移動通信システム。
【０１１６】
（付記３２）
前記第１の基地局は、前記無線端末がCONNECTED状態からIDLE状態に遷移することに応じて、前記アシスタンス情報を前記コアネットワークに送信するよう構成されている、
付記２９又は３０に記載の移動通信システム。
【０１１７】
（付記３３）
無線アクセスネットワークに配置される第２の基地局をさらに備え、
前記第１の基地局は、前記第２の基地局から前記第１の基地局への前記無線端末のハンドオーバの際に、前記アシスタンス情報を前記第２の基地局から受信するよう構成されている、
付記２９〜３２のいずれか１項に記載の移動通信システム。
【０１１８】
（付記３４）
前記アシスタンス情報は、（ａ）前記第１の基地局を含む少なくとも１つの基地局により取得された前記無線端末に関する計測情報、（ｂ）前記少なくとも１つの基地局により取得された前記無線端末に関する履歴情報、（ｃ）前記少なくとも１つの基地局により決定された前記無線端末に関する設定情報、（ｄ）推奨されるセルのリスト、及び（ｅ）推奨される基地局のリスト、のうち少なくとも１つを含む、
付記２９〜３３のいずれか１項に記載の移動通信システム。
【０１１９】
（付記３５）
前記アシスタンス情報は、前記無線端末がCONNECTED状態であるときに前記少なくとも１つの基地局によって取得される、
付記３４に記載の移動通信システム。
【０１２０】
（付記３６）
付記１５〜２１のいずれか１項に記載の方法をコンピュータに行わせるためのプログラム。
【０１２１】
（付記３７）
付記２２〜２８のいずれか１項に記載の方法をコンピュータに行わせるためのプログラム。
【０１２２】
この出願は、２０１５年４月９日に出願された日本出願特願２０１５−０８０３４３を基礎とする優先権を主張し、その開示の全てをここに取り込む。
【符号の説明】
【０１２３】
１１  無線端末（UE）
２０  無線アクセスネットワーク（E-UTRAN）
２１  基地局（eNB）
３０  コアネットワーク（EPC）
３１  モビリティ管理ノード（MME）
【図１】
2016163112.tif 000003
【図２】
2016163112.tif 000004
【図３】
2016163112.tif 000005
【図４】
2016163112.tif 000006
【図５】
2016163112.tif 000007
【図６】
2016163112.tif 000008
【図７】
2016163112.tif 000009
【国際調査報告】
2016163112.tif 000010
2016163112.tif 000011
2016163112.tif 000012
2016163112.tif 000013